(57)【要約】      （修正有）【課題】シート状部材が糸状に細くなっていく過程でも途中で切断されることなく確実に二重瞼が形成できる二重瞼形成用粘着テープ及びその製造法を提供する。【解決手段】延伸可能な合成樹脂製フィルム１の表裏面全体に粘着剤を塗布した粘着面を備えるとともに、延伸可能な合成樹脂製フィルムの裏面を合成樹脂製又は紙製の台紙２に剥離可能に粘着し、複数の糸状に延伸可能な合成樹脂製フィルムの裏面の両端部に表裏とも粘着性の無い把持部３を剥離可能に付着し、延伸可能な合成樹脂製フィルムの両端部の把持部の付着先端部間に位置する延伸可能な合成樹脂製フィルムに複数の糸状に分離するための矩形状刳り抜き部６を形成するとともに、台紙を除いた剥離シート４及び延伸可能な合成樹脂製フィルムのそれぞれに単独又は並列的に複数の矩形状刳り抜き部５を同一箇所に重ねて設け、使用時に延伸した複数の分離した粘着性を有する樹脂製糸状部が１本に捩じられる。【選択図】図１
2015177859.tif 000002
【特許請求の範囲】
【請求項１】
矩形状から複数の糸状に延伸可能な合成樹脂製フィルムの表裏面全体に粘着剤を塗布した粘着面を備えるとともに該延伸可能な合成樹脂製フィルムの裏面を合成樹脂製又は紙製の台紙に剥離可能に粘着し、該複数の糸状に延伸可能な合成樹脂製フィルムの裏面の両端部に表裏とも粘着性の無い把持部を剥離可能に付着し、該延伸可能な合成樹脂製フィルムの両端部の把持部の付着先端部間に位置する延伸可能な合成樹脂製フィルムに複数の糸状に分離するための矩形状刳り抜き部を形成するとともに前記台紙を除いた前記剥離シート及び前記延伸可能な合成樹脂製フィルムのそれぞれに単独又は並列的な矩形状刳り抜き部を同一箇所に重ねて設け、使用時に隔離空間を形成して延伸後に複数の分離した粘着性を有する樹脂製糸状部が１本に捩じられることを特徴とする二重瞼形成用粘着テープ。
【請求項２】
延伸後に平行間隔を置いて複数に分離した粘着性を有する複数の樹脂製糸状部が捩じられて一本に形成されることを特徴とする請求項１記載の二重瞼形成用粘着テープ。
【請求項３】
前記延伸可能な合成樹脂製フィルムに設けた矩形状の刳り抜き部は単独に設けるか又は間隔を置いて幅方向に並列的に複数設けることを特徴とする請求項１又は請求項２記載の二重瞼形成用粘着テープ。
【請求項４】
前記延伸可能な合成樹脂製フィルムの両端部に表裏とも粘着性の無い把持部が視覚的に視認し易いように台紙、延伸可能な合成樹脂製フィルム及び剥離紙と区別できる色に着色されていることを特徴とする請求項１、請求項２又は請求項３記載の二重瞼形成用粘着テープ。
【請求項５】
剥離可能な粘着剤を両面に塗布した複数枚が得られる大きさに裁断した延伸可能な合成樹脂製フィルムの両端部裏面に、両面が非接着で複数枚が得られる大きさの把持部を貼付する工程と、該複数枚が得られる大きさの把持部を備えた前記延伸可能な複数枚が得られる大きさの合成樹脂製フィルムの裏面を前記合成樹脂製又は紙製の台紙の表面に剥離可能に貼着する工程と、該延伸可能な複数枚が得られる大きさの合成樹脂製フィルムの表面全体を被覆する大きさの剥離可能な離型紙を貼着する工程と、台紙を除いて剥離紙で被覆された延伸可能な合成樹脂製フィルム群を個々の使用単位に分割する切断部の形成と複数の延伸する糸状部が互いに間隔をおいて平行に得られるように矩形状の切り取り部を形成する工程を有することを特徴とする二重瞼形成用粘着テープの製造方法。
【発明の詳細な説明】
【技術分野】
【０００１】
本発明は、人の瞼に貼付して二重瞼を形成するための二重瞼形成用粘着テープ及びその製造方法に関する。
【背景技術】
【０００２】
従来、この種の二重瞼形成用粘着テープ（特許第３２７７１８０号）は、延伸可能でその延伸後にも弾性的な伸縮性を有する合成樹脂により形成した細いテープ状部材に、粘着剤を塗着することにより構成したものが存在する。
この発明は、消費者が使用時に二重瞼を形成するときに、粘着テープを左右方向に糸状に引き伸ばす過程で、強度が弱いために途中で切れてしまうことがあった。そのために前記の二重瞼形成用粘着テープは、新たに別の二重瞼形成用粘着テープを用いて再度、慎重に引き伸ばして使用しなければならないので、商品のすべてが有効活用されないという難点があった。その理由は粘着テープを一本の糸状に引き伸ばすときに、粘着テープ自体を細く伸ばしすぎて強度が不足することが原因と考えられる。
【先行技術文献】
【特許文献】
【０００３】
【特許文献１】特許第３２７７１８０号
【０００４】
また、前記特許文献１の請求項７の発明は、延伸可能でその延伸後にも弾性的な伸縮性を有する合成樹脂により形成した任意長のシート状部材の両面または片面に粘着剤を塗着すると共に、その幅方向両端に粘着性のない把持部を形成し、これを幅方向に細片状に切断することを特徴とする二重瞼形成用テープの製造方法である。そして、特許文献１の請求項８の発明は、延伸可能でその延伸後にも弾性的な伸縮性を有する合成樹脂により形成した任意長のシート状部材の両面または片面に粘着剤を塗着し、該粘着剤が塗着されたシート状部材の両面または片面に、長手方向略中央に切欠溝を形成した剥離シートを貼付し、これを幅方向に細片状に切断することを特徴とする二重瞼形成用テープの製造方法である。
【発明の概要】
【発明が解決しようとする課題】
【０００５】
特許文献１の二重瞼形成用粘着テープまたは糸及びその製造法の発明で得られた二重瞼形成用粘着糸は、消費者が使用時に、粘着材が塗布されたシート状部材の両端部の把持部を左右の指で押さえながら左右方向に引き伸ばすと、シート状部材が糸状に細くなっていき、その引き伸ばす過程で切断されてしまい、二重瞼としての使用が不可能となってしまうという難点があった。
本発明は上記の弊害を解消するためになされたものであり、消費者が使用時に、シート状部材が糸状に細くなっていく過程においても途中で切断されることなく確実に二重瞼が形成できる二重瞼形成用粘着テープ及びその製造法を提供することにある。
【課題を解決するための手段】
【０００６】
本発明に係る二重瞼形成用粘着テープは、矩形状から複数の糸状に延伸可能な合成樹脂製フィルムの表裏面全体に粘着剤を塗布した粘着面を備えるとともに該延伸可能な合成樹脂製フィルムの裏面を合成樹脂製又は紙製の台紙に剥離可能に粘着し、該複数の糸状に延伸可能な合成樹脂製フィルムの裏面の両端部に表裏とも粘着性の無い把持部を剥離可能に付着し、該延伸可能な合成樹脂製フィルムの両端部の把持部の付着先端部間に位置する延伸可能な合成樹脂製フィルムに複数の糸状に分離するための矩形状刳り抜き部を形成するとともに前記台紙を除いた前記剥離シート及び前記延伸可能な合成樹脂製フィルムのそれぞれに単独又は並列的に複数の矩形状刳り抜き部を同一箇所に重ねて設け、使用時に延伸した複数の分離した粘着性を有する樹脂製糸状部が１本に捩じられることを特徴とする。
【０００７】
請求項１記載の二重瞼形成用粘着テープは、延伸後に間隔を置いて分離した粘着性を有する複数の樹脂製糸状部が捩じられて一本に形成されることを特徴とする。
【０００８】
請求項１又は請求項２記載の二重瞼形成用粘着テープの表面を被覆・剥離する剥離シートには、該延伸可能な合成樹脂製フィルムに設けた矩形状の刳り抜き部を単独に設けるか又は間隔を置いて幅方向に並列的に複数設けることを特徴とする。
【０００９】
前記請求項１、請求項２又は請求項３記載の二重瞼形成用粘着テープは、前記延伸可能な合成樹脂製フィルムの両端部に表裏とも粘着性の無い把持部が視覚的に視認し易いように台紙、延伸可能な合成樹脂製フィルム及び剥離紙と区別できる色に着色されていることを特徴とする。
【００１０】
本発明に係る二重瞼形成用粘着テープの製造方法は、剥離可能な粘着剤を両面に塗布した複数枚が得られる大きさに裁断した糸状に延伸可能な合成樹脂製フィルムの両端部裏面に、両面が非接着で複数枚が得られる大きさの把持部を貼付する工程と、該複数枚が得られる大きさの把持部を備えた前記糸状に延伸可能な複数枚が得られる大きさの合成樹脂製フィルムの裏面を前記合成樹脂製又は紙製の台紙の表面に剥離可能に貼着する工程と、該糸状に延伸可能な複数枚が得られる大きさの合成樹脂製フィルムの表面全体を被覆する大きさの剥離可能な離型紙を貼着する工程と、台紙を除いて剥離紙で被覆された糸状に延伸可能な合成樹脂製フィルムを個々の使用単位に分割する切断部の形成と複数の延伸する糸状部が互いに間隔をおいて平行に得られるように矩形状の切り取り部を形成する工程を有することを特徴とする。
【発明の効果】
【００１１】
本発明に係る二重瞼形成用粘着テープは、糸状に延伸可能な合成樹脂製フィルムを長手方向に沿って矩形状の刳り抜き部を単独に設け場合は、左右の把持部を持って引き伸ばすときに、引き伸ばされる前の糸状に延伸可能な合成樹脂製フィルムは、刳り抜き部の空間を挟んで二本以上の平行な細長い矩形状の合成樹脂製フィルムが形成されており、左右の把持部を指で押さえながら左右に引き伸ばすと二本又は複数の糸状に近接した間隔をおいて引き伸ばされ、左右の把持部で一方は内側方向に、他方は外側方向に撚りをかけると強度が単純に二本又は複数本を合わせたよりも撚りと粘着剤との相乗効果で強度が格段に増すこととなり、瞼に取り付ける前に破断されることが無く、二重瞼が確実に形成される。また、瞼に装着後においても切断や剥離することが無く、激しい動きに対しても安心して継続使用が可能となる。すなわち、使用時に引き伸ばした複数本の糸が当初は分離しているが、撚りをかけることにより粘着剤による結着が強まり、強度の増した１本の撚られた束ができる。
【００１２】
また、本発明の二重瞼の製造方法によれば、例えば台紙に１０枚を１セットとした商品が得られ、使用前には矩形状の合成樹脂フィルムはその表裏面に塗布されている粘着剤が台紙及び剥離紙によりそれぞれ被覆されているので、合成樹脂フィルムの表裏面の粘着力が劣化することは無い。
【００１３】
二重瞼形成用粘着テープは台紙が透明や白色であり、剥離氏が白色等で形成されている場合でも、使用者は左右の把持部が例えば紫色等の有彩色で着色されているために、使用者は容易に左右の把持部を把握でき、使いやすく、二重瞼の形成が容易、かつ確実になされる。
【００１４】
また、本発明の製法によれば、ユニット単位の製品が簡単に量産できる上に、粘着剤は台紙及び剥離紙により保護されているので、使用前に粘着剤の粘着力が劣化することは無い。
【図面の簡単な説明】
【００１５】
【図１】本発明の一実施例を示す二重瞼形成用粘着テープの分解斜視図である。
【図２】本発明の一実施例を示す二重瞼形成用粘着テープの平面図である。
【図３】本発明の一実施例を示す二重瞼形成用粘着テープ断面図である。
【図４】本発明の他の実施例を示す二重瞼形成用粘着テープの平面図である。
【図５】本発明の一実施例を示す二重瞼形成用粘着テープの製造工程を示す概略説明図である。
【図６】本発明の一実施例の剥離状態を示す斜視図である。
【図７】本発明の一実施例を示す二本の糸状部が撚られた状態を示す概略図である。
【発明を実施するための形態】
【００１６】
本発明の一実施例を示す二重瞼形成用粘着テープについて、図面に基づいて説明する。
１は１又は複数の間隔をおいて形成された糸状に延伸可能な合成樹脂製フィルムで、表裏面の全体に予め粘着剤（図示せず）が塗布され、矩形状に形成されている。二重瞼形成用の粘着テープとして使用される糸状に延伸可能な合成樹脂製フィルム１の材料は例えばポリエチレン、ポリエステル等の透明な熱可塑性樹脂フィルムであり、その厚さがミクロンオーダーで両面に粘着剤（図示せず）が塗布されたフィルムが使用される。
本例では例えば、１０枚一組、１５枚一組あるいは２０枚一組といった糸状に延伸可能な合成樹脂製フィルム１が得られる大きさに裁断される。
【００１７】
２は熱可塑性樹脂製又は紙製の台紙である。その台紙２の表面には糸状に延伸可能な合成樹脂製フィルム１の裏面を剥離可能に貼着する。本例では台紙２は透明な熱可塑性樹脂製の台紙２に貼付した場合を示したが、耐湿性の紙製であっても良い。
【００１８】
台紙２上に貼付した糸状に延伸可能な合成樹脂製フィルム１は例えば１０枚一組とした大きさに裁断された状態で剥離可能に貼付されている。糸状に延伸可能な合成樹脂製フィルム１の両端部裏面には、両面が非接着で紫色等の有彩色の識別可能な色に着色された把持部３が貼着されている。
【００１９】
４は左右両端部に貼着した把持部３を除いた糸状に延伸可能な合成樹脂製フィルム１の表面に剥離可能に貼着した剥離紙である。
剥離紙４の個々の中央部位には左右の把持部３の貼着部先端間に、剥離紙４及び糸状に延伸可能な合成樹脂製フィルム１をそれぞれ貫通する矩形状刳り抜き部５を１又は複数形成して延伸する糸状部が一定の間隔を保つようにすることと、個々の糸状に延伸可能な合成樹脂製フィルム１を１単位として使用する大きさに裁断する刳り抜き部６が同時に抜き型にて形成される。抜き型による刳り抜き部６は台紙２には刳り抜き部が形成されないようにすることが肝要である。何故ならば、刳り抜かれると、そこから糸状に延伸可能な合成樹脂製フィルム１に付着している粘着剤（図示せず）の劣化が生じるので、これを回避するためである。なお、本例では抜き型を使用して刳り抜き部を形成した場合について説明したが、これに限定されるものではなく、レーザー光等によっても良いが、台紙２には刳り抜き部が形成されないようにすることは共通である。
【００２０】
本例では、使用に際して、左右の把持部３を持って左右にゆっくりと引っ張ると中央部に形成した空隙部が次第に狭くなると同時に二本の平行な糸状部が形成されるので、左右に引きながら数回乃至適当な回数だけ捩じることにより複数本の糸状部の撚り合わせと粘着剤の相乗効果により強度が一層増すこととなり、この状態で瞼に貼り付けることにより所望する二重瞼が形成される。
【００２１】
本例では二本の平行な糸状部が形成される場合について示したが、これに限定されるものではなく、延伸する糸状部の太さをより細くし、矩形状の刳り抜き部の数を増やすことにより、３本以上の捩じりからなるより強固な二重瞼が形成される。
【産業上の利用可能性】
【００２２】
本発明は、間隔を置いて糸状に引き伸ばした複数本の合成樹脂を左右で把持した指で数回ほど撚るだけで糸状樹脂の強度が大幅に増し、二重瞼で悩む人々に朗報となり、美容産業が活性化し、一層の需要が喚起される。
【符号の説明】
【００２３】
１      テープ状部材
２      台紙
３      把持部
４      剥離紙
５      矩形状刳り抜き部
６      延伸可能な合成樹脂製フィルムに２本の平行な糸状部を形成するための刳り抜き部
【図１】
2015177859.tif 000003
【図２】
2015177859.tif 000004
【図３】
2015177859.tif 000005
【図４】
2015177859.tif 000006
【図５】
2015177859.tif 000007
【図６】
2015177859.tif 000008
【図７】
2015177859.tif 000009
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
延伸可能な矩形状の合成樹脂製フィルムの表裏面全体に粘着剤を塗布し、該合成樹脂製フィルムの表面に剥離紙を剥離可能に貼着し、該合成樹脂製フィルムの裏面に台紙を剥離可能に貼着し、該合成樹脂製フィルムの裏面の両端部に剥離可能に付着する把持部の幅を該合成樹脂製フィルムと同じ幅に形成し、該把持部は表裏面とも粘着性が無く、該左右の把持部の付着先端部近傍間に位置する該合成樹脂製フィルムの長手方向に沿って複数の糸状に分離するための矩形状刳り抜き部の１又は複数を幅方向に間隔を置いて形成し、延伸後に複数の分離した粘着性を有する樹脂製糸状部が前記両端部の把持部を介して複数本が１本に捩じられることを特徴とする二重瞼形成用粘着テープ。
【請求項２】
請求項１記載の二重瞼形成用粘着テープであって、延伸可能な合成樹脂製フィルムの両端部に表裏とも粘着性の無い把持部が視覚的に視認し易いように台紙、延伸可能な合成樹脂フィルム及び剥離紙と区別できる色に着色されていることを特徴とする請求項１記載の二重瞼形成用粘着テープ。
【請求項３】
剥離可能な粘着剤を両面に塗布した延伸可能な矩形状の合成樹脂製フィルムの複数枚が得られる大きさに裁断した延伸可能な矩形状の合成樹脂製フィルムの両端部裏面に、両面が非接着で該合成樹脂製フィルムと同じ幅で矩形状の把持部の複数枚が得られる大きさの把持部を貼付する工程と、該複数枚が得られる大きさの把持部を備えた前記延伸可能な複数枚が得られる大きさの合成樹脂製フィルムの裏面を台紙の表面に剥離可能に貼着する工程と、該延伸可能な複数枚が得られる大きさの合成樹脂製フィルムの表面全体を被覆する大きさの剥離可能な離型紙を貼着する工程と、台紙を除いて剥離紙で被覆された延伸可能な合成樹脂製フィルム群を個々の使用単位に分割する切断部の形成と個々の延伸可能な合成樹脂製フィルムの両端部の把持部の付着先端部近傍間に延伸可能な合成樹脂製フィルムが幅方向に間隔をおいて糸状に分離するための矩形状刳り抜き部を１又は複数本を形成し、複数の延伸する糸状部が互いに間隔をおいて平行に得られるように矩形状の刳り抜き部を形成する工程を有することを特徴とする二重瞼形成用粘着テープの製造方法。
【手続補正２】
【補正対象書類名】明細書
【補正対象項目名】０００６
【補正方法】変更
【補正の内容】
【０００６】
本発明に係る二重瞼形成用粘着テープは、延伸可能な矩形状の合成樹脂製フィルムの表裏面全体に粘着剤を塗布し、該合成樹脂製フィルムの表面に剥離紙を剥離可能に貼着し、該合成樹脂製フィルムの裏面に台紙を剥離可能に貼着し、該合成樹脂製フィルムの裏面の両端部に剥離可能に付着する把持部の幅を該合成樹脂製フィルムと同じ幅に形成し、該把持部は表裏面とも粘着性が無く、該左右の把持部の付着先端部近傍間に位置する該合成樹脂製フィルムの長手方向に沿って複数の糸状に分離するための矩形状刳り抜き部の１又は複数を幅方向に間隔を置いて形成し、延伸後に複数の分離した粘着性を有する樹脂製糸状部が前記両端部の把持部を介して複数本が１本に捩じられることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項１記載の二重瞼形成用粘着テープであって、延伸可能な合成樹脂製フィルムの両端部に表裏とも粘着性の無い把持部が視覚的に視認し易いように台紙、延伸可能な合成樹脂フィルム及び剥離紙と区別できる色に着色されていることを特徴とする。
【手続補正６】
【補正対象書類名】明細書
【補正対象項目名】００１０
【補正方法】変更
【補正の内容】
【００１０】
本発明に係る二重瞼形成用粘着テープの製造方法は、剥離可能な粘着剤を両面に塗布した延伸可能な矩形状の合成樹脂製フィルムの複数枚が得られる大きさに裁断した延伸可能な矩形状の合成樹脂製フィルムの両端部裏面に、両面が非接着で該合成樹脂製フィルムと同じ幅で矩形状の把持部の複数枚が得られる大きさの把持部を貼付する工程と、該複数枚が得られる大きさの把持部を備えた前記延伸可能な複数枚が得られる大きさの合成樹脂製フィルムの裏面を台紙の表面に剥離可能に貼着する工程と、該延伸可能な複数枚が得られる大きさの合成樹脂製フィルムの表面全体を被覆する大きさの剥離可能な離型紙を貼着する工程と、台紙を除いて剥離紙で被覆された延伸可能な合成樹脂製フィルム群を個々の使用単位に分割する切断部の形成と個々の延伸可能な合成樹脂製フィルムの両端部の把持部の付着先端部近傍間に延伸可能な合成樹脂製フィルムが幅方向に間隔をおいて糸状に分離するための矩形状刳り抜き部を１又は複数本を形成し、複数の延伸する糸状部が互いに間隔をおいて平行に得られるように矩形状の刳り抜き部を形成する工程を有することを特徴とする。
【手続補正７】
【補正対象書類名】明細書
【補正対象項目名】００１１
【補正方法】変更
【補正の内容】
【００１１】
本発明に係る二重瞼形成用粘着テープは、延伸可能な矩形状の合成樹脂製フィルムの表裏面全体に粘着剤を塗布し、該合成樹脂製フィルムの表面に剥離紙を剥離可能に貼着し、該合成樹脂製フィルムの裏面の両端部に剥離可能に付着する把持部の幅を該合成樹脂製フィルムと同じ幅に形成し、該把持部は表裏面とも粘着性が無く、該左右の把持部の付着先端部近傍間に位置する延伸可能な合成樹脂製フィルムに長手方向に沿って矩形状の間隔をおいて複数の糸状に分離するための矩形状刳り抜き部を１又は複数を幅方向に間隔を置いて形成し、該延伸可能な合成樹脂製フィルムの裏面を台紙に剥離可能に粘着し、使用時に前記合成樹脂製フィルムの表裏面の剥離紙及び台紙の剥離後、前記合成樹脂製フィルムに形成した矩形状刳り抜き部を１又は複数の隔離空間を介して延伸後に複数の分離した粘着性を有する樹脂製糸状部が前記両端部の把持部を介して複数本が１本に捩じられる前に、樹脂製糸状部同士の両端は合成樹脂製フィルムの把持部側と一体に連接形成されているので、引き伸ばし過程で相互が付着するトラブルの発生が無く安心して使用できる。また、本発明は矩形状の刳り抜き部を介して糸状に延伸する合成樹脂製フィルムの両端部が矩形状の合成樹脂製フィルムと連接しており、かつ左右の把持部と同じ幅に形成されているので、間隔をおいて糸状に引き伸ばす作業と延伸後のねじり作業が確実に行なわれる。
【手続補正８】
【補正対象書類名】明細書
【補正対象項目名】００１３
【補正方法】変更
【補正の内容】
【００１３】
二重瞼形成用粘着テープは台紙が透明や白色であり、剥離紙が白色等で形成されている場合でも、使用者は左右の把持部が例えば紫色等の有彩色で着色されているために、使用者は容易に左右の把持部を把握でき、使いやすく、二重瞼の形成が容易、かつ確実になされる。
【手続補正９】
【補正対象書類名】明細書
【補正対象項目名】００１６
【補正方法】変更
【補正の内容】
【００１６】
本発明の一実施例を示す二重瞼形成用粘着テープについて、図面に基づいて説明する。
１は１又は複数の間隔をおいて形成された糸状に延伸可能な合成樹脂製フィルムで、表裏面の全体に予め粘着剤（図示せず）が塗布され、横長の矩形状に形成されている。二重瞼形成用の粘着テープとして使用される糸状に延伸可能な合成樹脂製フィルム１の材料は例えばポリエチレン、ポリエステル等の透明な熱可塑性樹脂フィルムであり、その厚さがミクロンオーダーで両面に粘着剤（図示せず）が塗布されたフィルムが使用される。
本例では例えば、１０枚一組、１５枚一組あるいは２０枚一組といった糸状に延伸可能な合成樹脂製フィルム１が得られる大きさに裁断される。
【手続補正１０】
【補正対象書類名】明細書
【補正対象項目名】００１９
【補正方法】変更
【補正の内容】
【００１９】
４は左右両端部に貼着した把持部３を除いた１又は複数の間隔をおいて形成された糸状に延伸可能な矩形状の合成樹脂製フィルム１（以下、「糸状に延伸可能な合成樹脂製フィルム」という）の表面に剥離可能に貼着した剥離紙である。
剥離紙４の個々の中央部位には左右の把持部３の貼着部先端間に、剥離紙４及び糸状に延伸可能な合成樹脂製フィルム１をそれぞれ貫通する矩形状刳り抜き部６を１又は複数形成して延伸する糸状部が一定の間隔を保つようにすることと、個々の糸状に延伸可能な合成樹脂製フィルム１を１単位として使用する大きさに裁断する刳り抜き部５が同時に抜き型にて形成される。抜き型による刳り抜き部５は台紙２には刳り抜き部が形成されないようにすることが肝要である。何故ならば、刳り抜かれると、そこから糸状に延伸可能な合成樹脂製フィルム１に付着している粘着剤（図示せず）の劣化が生じるので、これを回避するためである。なお、本例では抜き型を使用して刳り抜き部を形成した場合について説明したが、これに限定されるものではなく、レーザー光等によっても良いが、台紙２には刳り抜き部が形成されないようにすることは共通である。
【手続補正１１】
【補正対象書類名】明細書
【補正対象項目名】００２１
【補正方法】変更
【補正の内容】
【００２１】
本例では二本の平行な糸状部が形成される場合について示したが、これに限定されるものではなく、図４に示すように、延伸する糸状部の太さをより細くし、矩形状の刳り抜き部の数を増やすことにより、３本以上の捩じりからなるより強固な二重瞼が形成される。
【手続補正１２】
【補正対象書類名】明細書
【補正対象項目名】００２３
【補正方法】変更
【補正の内容】
【００２３】
１      両端部を除いて１又は複数の矩形状間隔をおいて形成された糸状に延伸可能な矩形状の合成樹脂製フィルム
２      台紙
３      把持部
４      剥離紙
５      矩形状刳り抜き部
６      延伸可能な合成樹脂製フィルムの両端部を除いた矩形状の刳り抜き部
【手続補正１３】
【補正対象書類名】図面
【補正対象項目名】図６
【補正方法】変更
【補正の内容】
【図６】
2015177859.tif 000010